(57)【要約】【課題】  本発明は、ポリ袋の支持が確実であると共に単純な構造で製作がし易い犬用糞とり器を得ることを目的とする。【解決手段】  本発明の犬用糞とり器は、大人が立った姿勢で犬のお尻にあてがうことができる適宜長さのアルミパイプ製の柄１と、該柄１の先端に犬のお尻に水平状態にあてがうことができるように柄１の延長線に対して上方に向けた角度に前方に延設固定した、金属製剛性ワイヤーにより楕円形状に形成された袋開口枠２から構成される。前記袋開口枠２の先端側、すなわち前記柄１の反対側には略１/５の円弧の長さ部分に可撓性のテグスからなる袋保持ワイヤー３を弦状に張設する。また、前記柄１には、携行者の手元側にプラスチック、ゴム等の柔軟性材料からなる握り部４を形成し、袋開口枠２側にスーパー等の使用済みポリ袋の開口端を巻回する係止杆５を突出状に設ける。【選択図】  図１
2006238776.tif 000002
【特許請求の範囲】
【請求項１】
適宜長さの柄と該柄の先端に固定した袋開口枠から構成される犬用糞とり器において、前記袋開口枠の先端側には前記袋開口枠の略１/５の長さ部分に可撓性の袋保持ワイヤーを弦状に張設したことを特徴とする犬用糞とり器。
【請求項２】
前記袋開口枠を２分する個所に半割した袋開口枠より形成した蓋枠を１８０°回動自在に設けたことを特徴とする請求項１記載の犬用糞とり器。
【発明の詳細な説明】
【技術分野】
【０００１】
本発明は、スーパー等のポリ袋を利用して犬の糞を受け取ることができる犬用糞とり器に関する。
【背景技術】
【０００２】
従来、犬の散歩中に糞処理を行う場合には、スーパー等のポリ袋を利用して糞を受け取ることができるように、例えば持ち手の先端に２つの輪の重なりによって袋を取り付けた糞回収器具（特許文献１を参照）や舟形にした先端にポリ袋の差込口が設けられた犬用携帯糞取器（特許文献２を参照）を利用することが知られている。
しかし、前記特許文献２は、舟形の先端と後方部分を丸くし、先端の上部４と下部５に差を設け、その中間点に、横の切込み３を入れたものであり、構造が複雑であると共にポリ袋の支持が不安定である等の不都合があった。
【特許文献１】特開２００３‐００９７０７号公報
【特許文献２】実用新案登録第３０７７８４８号公報
【発明の開示】
【発明が解決しようとする課題】
【０００３】
本発明は、ポリ袋の支持が確実であると共に単純な構造で製作がし易い犬用糞とり器を得ることを目的とする。
【課題を解決するための手段】
【０００４】
本発明の犬用糞とり器は、適宜長さの柄と該柄の先端に固定した袋開口枠から構成される犬用糞とり器において、前記袋開口枠の先端側には前記袋開口枠の略１/５の長さ部分に可撓性の袋保持ワイヤーを弦状に張設したものである。
また、前記袋開口枠を２分する個所に半割した袋開口枠より形成した蓋枠を１８０°回動自在に設けたものである。
【発明の効果】
【０００５】
本発明の犬用糞とり器は、スーパー等の使用済みポリ袋を使用することができ、ポリ袋の支持が簡単で確実であると共に単純な構造で製作がし易いものである。
【発明を実施するための最良の形態】
【０００６】
本発明の犬用糞とり器の一実施例を図面に基づいて、以下に説明する。
図１に示すように、本発明の犬用糞とり器は、大人が立った姿勢で犬のお尻にあてがうことができる適宜長さ、例えば約３０ｃｍのアルミパイプ製の柄１と、該柄１の先端に犬のお尻に水平状態にあてがうことができるように柄１の延長線に対して上方に向けた角度、たとえば約１５°に前方に延設固定した、金属製剛性ワイヤーにより楕円形状に形成された袋開口枠２から構成される。
前記袋開口枠２の先端側、すなわち前記柄１の反対側には略１/５の円弧の長さ部分に可撓（かとう）性のテグスからなる袋保持ワイヤー３を弦状に張設する。
また、前記柄１には、携行者の手元側にプラスチック、ゴム等の柔軟性材料からなる握り部４を形成し、袋開口枠２側にスーパー等の使用済みポリ袋の開口端を巻回する係止杆５を突出状に設ける。
【０００７】
次に、本発明の犬用糞とり器の使用操作を、以下図面に基づいて説明する。
スーパー等の使用済みポリ袋６は、ポリ袋６の開口部を結んで閉鎖するための耳部７とポリ袋６を持ち運びする提げ手部８とをそれぞれ対向位置に備えており、図２に示すように、本発明の犬用糞とり器には、前記耳部７又は提げ手部８を開口保持のために利用する袋保持ワイヤー３を備えている。
この実施例では、前記提げ手部８を利用し、ポリ袋６を袋開口枠２内に底部を下にして挿入し、ポリ袋６開口縁を外側に折り返して前記袋開口枠２を前記ポリ袋６開口縁で被う。
なお、耳部７を利用した場合でも、同様にして行うことができる。
その際、前記袋開口枠２の先端側には略１/５の円弧の長さ部分に可撓性のテグスからなる袋保持ワイヤー３が弦状に張設されているので、前記袋開口枠２の先端側では前記袋保持ワイヤー３と前記袋開口枠２の両者を前記ポリ袋６開口縁で被うことになる。
【０００８】
そして、前記ポリ袋６の提げ手部８で袋開口枠２を下から巻くように内側に戻し、図３に示すように、前記提げ手部８を前記袋保持ワイヤー３と前記ポリ袋６外側との間に挿入して、前記提げ手部８を下方に引張り込み、少なくとも前記提げ手部８を前記袋保持ワイヤー３と前記ポリ袋６外側との間に挟み込む。
一方、反対側の提げ手部８は、柄１の先端側に設けた係止杆５に２重に巻回する。
こうすることによって、図２に示すようにポリ袋６が袋開口枠２に開口状態でセッテング保持される。
犬の散歩中に糞処理を行う場合には、大人が立った姿勢で図２に示す状態で犬のお尻にあてがうことにより糞を取ることができる。
なお、糞の重みでポリ袋６が下方に引張られた場合には、図３に示す状態のポリ袋６が下方に引張られて袋保持ワイヤー３を押し下げる力が働くと同時に前記提げ手部８を引張り上げようとする力が働くので、すなわち袋保持ワイヤー３が袋開口枠２側に円弧状に撓（たわ）んで前記袋保持ワイヤー３と前記ポリ袋６外側との間に挿入されている前記提げ手部８との摩擦力を増強し、前記提げ手部８が引張られて袋保持ワイヤー３から外れることがなく、したがってポリ袋６が抜け落ちるようなことはない。
そして、糞廃棄のためポリ袋６を取外す時は、係止杆５側の提げ手部８の巻回を解き、前記提げ手部８を上方に持ち上げることにより、前記袋保持ワイヤー３と前記ポリ袋６外側との間に挟持されている前記提げ手部８は摩擦抵抗なく簡単に抜き出され、ポリ袋６を袋開口枠２から取外すことができる。
なお、ポリ袋６の提げ手部８を利用した場合を説明したが、ポリ袋６の耳部７を袋保持ワイヤー３に挿入した場合でも、同様にして糞処理を行うことができる。
【０００９】
本発明の犬用糞とり器の他の実施例を図面に基づいて、以下に説明する。
図４に示すように、本発明の犬用糞とり器は、大人が立った姿勢で犬のお尻にあてがうことができる適宜長さ、例えば約３５ｃｍで、先端を犬のお尻に水平状態にあてがうことができるように柄１の延長線に対し上向き角度、たとえば約１５°に折り曲げしたアルミパイプ製の柄１と、該柄１の先端に固定されたアルミ製剛性細板材により八角形状に形成された袋開口枠２と、該袋開口枠２を２分する個所に１８０°回動自在にやや袋開口枠２より大きく形成したアルミ製剛性細板材の半割した袋開口枠の蓋枠９とから構成される。
前記袋開口枠２の先端側、すなわち前記柄１の反対側には前述の実施例と同様に略１/５の長さ部分に可撓性のステンソフトワイヤーからなる袋保持ワイヤー３を弦状に張設する。
また、前記柄１には手元側にプラスチック、ゴム等の柔軟性材料からなる握り部４を形成し、前記蓋枠９には柄１側中央部にスーパー等の使用済みポリ袋６の開口端を巻回する係止杆５及び開閉操作するための摘み１０を突出状に長さを違えて設ける。
【００１０】
次に、他の実施例の犬用糞とり器の使用操作を、以下図面に基づいて説明する。
前述と同様に、スーパー等の使用済みポリ袋６は、ポリ袋６の開口部を結んで閉鎖するための耳部７とポリ袋６を持ち運びする提げ手部８とをそれぞれ対向位置に備えており、この実施例では、前記提げ手部８を利用し、ポリ袋６を袋開口枠２内に底部を下にして挿入し、ポリ袋６開口縁を外側に折り返して前記袋開口枠２を前記ポリ袋６開口縁で被う。
その際、蓋枠９は柄１側に回転させておき、前記蓋枠９にポリ袋６開口縁を外側に折り返して前記蓋枠９を前記ポリ袋６開口縁で被う。
なお、前記袋開口枠２の先端側には略１/５の円弧の長さ部分にステンソフトワイヤーからなる袋保持ワイヤー３が弦状に張設されているので、前記袋開口枠２の先端側では前記袋保持ワイヤー３と前記袋開口枠２を前記ポリ袋６開口縁で被うことになる。
【００１１】
そして、前述と同様に、前記ポリ袋６の提げ手部８で袋開口枠２を巻くように内側に戻し、図５に示すように、前記提げ手部８を前記袋保持ワイヤー３と前記ポリ袋６外側との間に挿入して、前記提げ手部８を下方に引張り込み、少なくとも前記提げ手部８を挟み込む。
一方、反対側の提げ手部８は、柄１側に回転させた蓋枠９の係止杆５に２重に巻回する。
こうすることによって、図５に示すようにポリ袋６が袋開口枠２及び蓋枠９に開口状態でセッテング保持される。
犬の散歩中に糞処理を行う場合には、大人が立った姿勢で犬のお尻にあてがうことにより糞を取ることができる。
なお、糞の重みでポリ袋６が下方に引張られた場合には、図５に示す状態のポリ袋６が下方に引張られて袋保持ワイヤー３を押し下げる力が働くと同時にポリ袋６の提げ手部８を引張り上げようとする力が働くので、すなわち袋保持ワイヤー３が袋開口枠２側に円弧状に撓（たわ）んで前記袋保持ワイヤー３と前記ポリ袋６外側との間に挿入されている提げ手部８との摩擦力を増強し、前記提げ手部８が引張られて袋保持ワイヤー３から外れることがなく、したがってポリ袋６が抜け落ちるようなことはない。
そして、糞処理が終わった際には、蓋枠９の摘み１０を掴んで蓋枠９を袋保持ワイヤー３側へ回転させて袋口を閉じ、図６に示すようにポリ袋６の口を閉じた状態で持ち運ぶことができる。
そして、糞廃棄のためポリ袋６を取外す時は、前記蓋枠９を柄１側に回転して戻し、係止杆５側の提げ手部８の巻回を解き、前記提げ手部８を上方に持ち上げることにより、前記袋保持ワイヤー３と前記ポリ袋６外側との間に挿入されている前記提げ手部８は摩擦抵抗なく簡単に引き出すことができ、ポリ袋６を袋開口枠２から取外すことができる。
なお、ポリ袋６の提げ手部８を利用した場合を説明したが、ポリ袋６の耳部７を袋保持ワイヤー３に挿入した場合でも、同様にして糞処理を行うことができる。
【図面の簡単な説明】
【００１２】
【図１】本発明の犬用糞とり器の斜視図である。
【図２】本発明の犬用糞とり器にポリ袋をセッテングした状態の斜視図である。
【図３】ポリ袋をセッテングした状態の一部省略拡大断面図である。
【図４】他の実施例の犬用糞とり器の斜視図である。
【図５】他の実施例の犬用糞とり器のポリ袋をセッテングした状態の一部省略断面図である。
【図６】他の実施例の犬用糞とり器を持ち運ぶ状態の斜視図である。
【符号の説明】
【００１３】
１  柄
２  袋開口枠
３  袋保持ワイヤー
４  握り部
５  係止杆
６  ポリ袋
７  耳部
８  提げ手部
９  蓋枠
１０  摘み
【図１】
2006238776.tif 000003
【図２】
2006238776.tif 000004
【図３】
2006238776.tif 000005
【図４】
2006238776.tif 000006
【図５】
2006238776.tif 000007
【図６】
2006238776.tif 000008